(57)【要約】【課題】表示部を起立状態に保持する弾性体を筐体に貼着せずに装着でき、磨耗を抑えて起立状態の保持力が低下しない表示部チルトアップ構造を提供する。【解決手段】電子機器の筐体１と、この筐体１の表面に回動軸１０ａを中心に軸支されて起き上がるように回動する表示部１０と、この表示部１０の裏面に回動軸１０ａを中心に円弧状に突出する円弧面１２ａ及び円弧面１２ａの一部を平坦に切り欠いた平面１２ｂを各々連設する回動突部１２と、筐体１に弾性を有して円筒状の中心を軸支した弾性体１４とを備え、この弾性体１４は表示部１０の回動時に円弧面１２ａに圧接して回転することで磨耗を抑え、表示部１０の回動停止時に円弧面１２ａに圧接する摩擦により表示部１０を所定角度の起立状態に保持するとともに、表示部１０を倒した転倒時に平面１２ｂで圧接状態を軽減して転倒状態の角度を安定させる。【選択図】　　　図１
2004053768.tif 000002
【特許請求の範囲】
【請求項１】
電子機器の筐体と、
前記筐体の表面に回動軸を中心に軸支されて起き上がるように回動（チルトアップ）する表示部と、
前記表示部の裏面に前記回動軸を中心に円弧状に突出する回動突部と、
前記筐体に弾性を有して円筒状の中心を軸支した弾性体とを備え、
前記弾性体は、前記表示部の回動時に前記円弧面に圧接して回転することで磨耗を抑え、前記表示部の回動停止時に前記円弧面に圧接することにより前記表示部を所定角度の起立状態に保持することを特徴とする表示部チルトアップ構造。
【請求項２】
電子機器の筐体と、
前記筐体の表面に回動軸を中心に軸支されて起き上がるように回動（チルトアップ）する表示部と、
前記表示部の裏面に前記回動軸を中心に円弧状に突出する円弧面及び円弧面の一部を平坦に切り欠いた平面を各々連設する回動突部と、
前記筐体に弾性を有して円筒状の中心を軸支した弾性体とを備え、
前記弾性体は、前記表示部の回動時に前記円弧面に圧接して回転することで磨耗を抑え、前記表示部の回動停止時に前記円弧面に圧接することにより前記表示部を所定角度の起立状態に保持するとともに、前記表示部を倒した転倒時に前記平面で圧接状態を軽減して転倒状態の角度を安定させることを特徴とする表示部チルトアップ構造。
【請求項３】
請求項１または２に記載の表示部チルトアップ構造において、
前記弾性体は、前記筐体に軸支する円筒状の中心を貼付、一体成形、組み込みいずれかの工程により、樹脂、板金などの磨耗しにくい材質にすることで、前記表示部を起立させる保持力の低下を防止することを特徴とする表示部チルトアップ構造。
【請求項４】
請求項１乃至３のいずれかに記載の表示部チルトアップ構造において、
前記筐体は、前記弾性体を軸支する軸の遊端に太い径を形成することで、前記弾性体を外れにくくすることを特徴とする表示部チルトアップ構造。
【請求項５】
請求項１乃至４のいずれかに記載の表示部チルトアップ構造において、
前記回動突部は、前記表示部の裏面に一体成形または別部品により形成していることを特徴とする表示部チルトアップ構造。
【発明の詳細な説明】
【０００１】
【発明の属する技術分野】
本発明は表示部チルトアップ構造に関する。
【０００２】
【従来の技術】
従来、表示部チルトアップ構造は、例えば、有線電話機、ＦＡＸなどの筐体に表示部を回動可能に軸支し、この表示部の使用時に筐体から起き上がるように回動（チルトアップ）させて好みの角度に保持することで表示情報を良好に視認できるように形成していた。図７は、このような回動する表示部を備える有線電話機に採用した従来の表示部チルトアップ構造の一実施形態を示す構成図である。また、図８は、図７に示した表示部３０を筐体２０に取り付けた状態を示す図である。また、図９は、図７に示した表示部３０の動作を示す図であり、図９（ａ）は転倒状態を、図９（ｂ）は起立途中の状態を、図９（ｃ）は起立した状態を各々示している。また、図１０は、図８に示した表示部３０が起立した状態を示す図である。
【０００３】
図７に示すように、従来の表示部チルトアップ構造の一実施形態は、有線電話機に採用したものであり、この有線電話機の外装を形成する筐体２０を設け、筐体２０の表面に回動軸３０ａを中心に軸支されて起き上がるように回動（チルトアップ）する表示部３０と、この表示部３０の裏面に回動軸３０ａを中心にほぼ円弧状に突出する回動突部３２と、筐体２０に貼着されて弾性を有して回動突部３２に当接する弾性体３４とを備えている。
【０００４】
ここで、回動突部３２は、図８に示すように、回動軸３０ａを中心にほぼ円弧状に突出する円弧面３２ａと、この円弧面３２ａの一部を平坦に切り欠いた平面３２ｂとを各々連設しており、表示部３０の回動軸３０ａを筐体２０に軸支することで、予め筐体２０に貼着したシリコンゴム等の軟質材からなる弾性体３４に当接するように形成している。この回動突部３２は、表示部３０の裏面に一体成形または取り付けることで形成している。また、回動突部３２は、回動軸３０ａから図８に示した半径Ｂの周囲に円弧面３２ａを形成するとともに、この半径Ｂより短い半径Ｃの位置に平面３２ｂを配置するように形成している。
【０００５】
従って、回動突部３２は、表示部３０の回動時に円弧面３２ａが弾性体３４を圧接して表示部３０を所定角度の起立状態に保持するとともに、平面３２ｂで弾性体の圧接状態を軽減して表示部３０を転倒状態にする。即ち、回動突部３２は、図９（ａ）に示すように、表示部３０を筐体２０に転倒させた状態の場合、図８に示したように平面３２ｂが弾性体３４の位置に回動して圧接状態を軽減して転倒状態の角度に安定させる。
【０００６】
一方、表示部３０を起こして表示情報を確認する場合、図９（ｂ）及び図９（ｃ）に示すように、表示部３０を筐体２０の表面に起き上がるように回動（チルトアップ）させ、所定角度の起立状態に保持して表示情報を視認する。この際、回動突部３２は、図１０に示すように、表示部３０の回動時に弾性体３４をつぶすように円弧面３２ａを圧接するため、この圧接により表示部３０を所定角度の起立状態に保持する。従って、表示部３０は、筐体２０の表面で回動させて自由に好みの角度に起立状態を保持でき、表示情報を良好に視認することができる。
【０００７】
このように従来の表示部チルトアップ構造は、表示部３０を好みの角度に回動した時に回動突部３２の円弧面３２ａが弾性体３４に圧接して起立状態を保持するとともに、図８に示すように、表示部３０を倒した転倒時に回動突部３２の平面３２ｂが弾性体３４の圧接状態を軽減して表示部３０を転倒させた所定の角度に安定するように形成していた。
【０００８】
【発明が解決しようとする課題】
しかしながら、従来の表示部チルトアップ構造では、筐体２０に弾性体３４を貼着する構造のため、この弾性体３４の接着に両面テープまたは接着剤が必要になるとともに、表示部３０の回動時に回動突部３２の円弧面３２ａが筐体２０に接着した弾性体３４の一箇所に圧接しながら回動することで剥がれが生じ易いという不具合があった。
また、従来の表示部チルトアップ構造では、表示部３０の回動時にシリコンゴム等の軟質材からなる弾性体３４の接点付近のみに集中して円弧面３２ａが圧接して擦れるように回動するため、この弾性体３４が磨耗して円弧面３２ａによる弾性体３４のつぶし量が減り、表示部３０を所定の角度に保持する保持力が低下するとともに、磨耗した弾性体３４のカスが筐体２０内に入ってしまうという不具合があった。
本発明はこのような課題を解決し、表示部を起立状態に保持する弾性体を筐体に貼着せずに装着でき、磨耗を抑えて起立状態の保持力が低下しない表示部チルトアップ構造を提供することを目的とする。
【０００９】
【課題を解決するための手段】
上述の課題を解決するために、本発明による表示部チルトアップ構造の実施形態は、電子機器の筐体と、筐体の表面に回動軸を中心に軸支されて起き上がるように回動する表示部と、この表示部の裏面に回動軸を中心に円弧状に突出する回動突部と、筐体に弾性を有して円筒状の中心を軸支した弾性体とを備え、この弾性体は表示部の回動時に円弧面に圧接して回転することで磨耗を抑え、表示部の回動停止時に円弧面に圧接することにより表示部を所定角度の起立状態に保持する。
【００１０】
また、本発明による表示部チルトアップ構造の他の実施形態は、電子機器の筐体と、この筐体の表面に回動軸を中心に軸支されて起き上がるように回動する表示部と、この表示部の裏面に回動軸を中心に円弧状に突出する円弧面及び円弧面の一部を平坦に切り欠いた平面を各々連設する回動突部と、筐体に弾性を有して円筒状の中心を軸支した弾性体とを備え、この弾性体は表示部の回動時に円弧面に圧接して回転することで磨耗を抑え、表示部の回動停止時に円弧面に圧接することにより表示部を所定角度の起立状態に保持するとともに、表示部を倒した転倒時に平面で圧接状態を軽減して転倒状態の角度を安定させる。
【００１１】
ここで、弾性体は、筐体に軸支する円筒状の中心を貼付、一体成形、組み込みいずれかの工程により、樹脂、板金などの磨耗しにくい材質にすることで、表示部を起立させる保持力の低下を防止することが好ましい。また、筐体は、弾性体を軸支する軸の遊端に太い径を形成することで、弾性体を外れにくくすることが好ましい。また、回動突部は、表示部の裏面に一体成形または別部品により形成することが好ましい。
【００１２】
【発明の実施の形態】
次に、添付図面を参照して本発明による表示部チルトアップ構造の実施の形態を詳細に説明する。図１は、本発明による表示部チルトアップ構造の一実施形態を示す構成図である。また、図２は、図１に示した弾性体１４の詳細を示す図である。また、図３は、図１に示した弾性体１４の他の実施例を示す図である。また、図４は、図２に示した軸１ａの他の実施例を示す図である。また、図５は、図１に示した筐体１に表示部１０を取り付けた状態を示す図である。また、図６は、図１に示した表示部１０の動作を示す図であり、図６（ａ）は転倒状態を、図６（ｂ）は起立途中の状態を、図６（ｃ）は起立状態を各々示している。
【００１３】
図１に示すように、本発明による表示部チルトアップ構造の一実施形態は、図７に示した従来技術と同様に有線電話機に採用したものであり、この有線電話機の外装を形成する筐体１を設け、筐体１の表面に回動軸１０ａを中心に軸支されて起き上がるように回動（チルトアップ）する表示部１０と、この表示部１０の裏面に回動軸１０ａを中心に円弧状に突出する回動突部１２と、筐体１に装着して弾性を有して回動突部１２に当接する弾性体１４とを備えている。
【００１４】
ここで、回動突部１２は、従来技術と同様に、回動軸１０ａを中心にほぼ円弧状に突出する円弧面１２ａと、この円弧面１２ａの一部を平坦に切り欠いた平面１２ｂとを各々連設しており、表示部１０の回動軸１０ａを筐体１に回動可能に軸支することで筐体１に予め軸支した弾性体１４に当接するように形成している。この回動突部１２は、表示部１０の裏面に一体成形または別部品を取り付けることで形成している。従って、回動突部１２は、表示部１０の回動時に円弧面１２ａを弾性体１４に圧接しながら回動し、表示部１０の回動停止時に円弧面１２ａを弾性体１４に圧接することにより表示部１０を所定角度の起立状態に保持するとともに、表示部１０を筐体１に倒す転倒時に平面１２ｂで弾性体１４の圧接状態を軽減して表示部１０を転倒状態の角度に安定させる。
【００１５】
一方、弾性体１４は、図７に示した従来技術のような筐体に貼着する構造ではなく、図２に示すように、筐体１に棒状の突出する軸１ａを設けて、この軸１ａに弾性を有する円筒状（チューブ状）の中心を軸支するように設けている。この弾性体１４は、筐体１の軸１ａに弾性を備えて圧入するシリコンゴム等の軟質材により形成している。また、弾性体１４は、図１に示した表示部１０の回動時に回動突部１２の円弧面１２ａが圧接して擦れようとする回動に対し、筐体１の軸１ａ（図２参照）を中心に回転して擦れを回避している。これにより弾性体１４は、円弧面１２ａに外周面が均等に圧接して一箇所のみ集中的に擦れることがなく、磨耗を効果的に軽減している。
【００１６】
従って、弾性体１４は、図７に示した従来技術に比べて、筐体１に接着することなく軸１ａに確実に軸支でき、円弧面１２ａが圧接する擦れに対して磨耗及び磨耗して発生した弾性体１４のカスの発生を確実に抑えるとともに、この磨耗により表示部１０を起立状態に保持する保持力の低下を効果的に防止できる。
【００１７】
ところで、弾性体１４は、筐体１の軸１ａに円筒状（チューブ状）の中心を直接回転可能に軸支する実施例を説明したが、例えば、円筒状の中心に磨耗しにくい材質を用いることも可能である。この中心を磨耗しにくい材質で形成した弾性体の他の実施例は、図３に示すように、筐体１の軸１ａ（図２参照）に軸支する円筒状の中心に、貼付、一体成形、組み込みいずれかの工程により、樹脂（ポリプロピレン等）、板金などの磨耗しにくい材質で形成した中心部１６を設けている。従って、この弾性体１４は、図２に示した筐体１の軸１ａに軸支して回転する際、中心部１６により磨耗を確実に抑え、この磨耗により圧接力（摩擦）がなくなり表示部１０が容易に回動して起立状態の保持力が低下することを防止している。
【００１８】
また、筐体１の軸１ａは、図２に示したように筐体１から棒状に延在させた実施例を説明したが、これに限定されず、例えば、弾性体１４を軸支して容易に外れない形状に形成することも可能である。この弾性体が容易に外れない軸の他の実施例は、図４に示すように、弾性体１４を軸支する棒状に延在した軸１ａの遊端に太い径の大径部１ｂを形成しており、この大径部１ｂと筐体１との間の軸１ａに弾性体１４を軸支することで容易に外れにくくしている。従って、この軸１ａは、図７に示した従来技術のように弾性体を筐体に接着剤で貼着した時の剥れがなく、弾性体１４を筐体１に確実に装着することができる。
【００１９】
このような本発明による表示部チルトアップ構造の一実施形態は、図１に示した表示部１０の回動軸１０ａを筐体１に軸支することで、図５に示すように、回動突部１２と弾性体１４とがお互いに当接して表示部１０の回転時に回動突部１２が回動して弾性体１４を連動することができる。そして、回動突部１２は、表示部１０を筐体１側に倒した転倒状態にある場合、図６（ａ）に示すように、弾性体１４の位置に平面１２ｂが回動して圧接状態を軽減することで、表示部１０を転倒した状態の角度に安定させる。
【００２０】
一方、表示部１０を起こして表示情報を確認する場合、図６（ｂ）及び図６（ｃ）に示すように、表示部１０を筐体１の表面に起き上がるように回動（チルトアップ）させ、所定角度の起立状態に保持して表示情報を視認する。この際、回動突部１２は、表示部１０の回動時に弾性体１４をつぶすように円弧面１２ａが圧接するため、この圧接によって回動する表示部１０を所定角度の起立状態に保持する。また、弾性体１４は、図６（ｂ）及び図６（ｃ）に示したように、表示部１０とともに回動する円弧面１２ａに圧接して矢印Ａ方向に同時に回転するため、この回転する外周面に円弧面１２ａが均等に圧接して図７に示した従来技術のように一箇所に集中して擦れることがなく、磨耗及びカスの発生を効果的に防止する。従って、本実施の形態は、表示部１０を起立または転倒させる回動力を加えると円弧面１２ａに圧接する弾性体１４が同時に回転して磨耗を防止し、この回動力を起立状態で解除すると円弧面１２ａに圧接した弾性体１４により表示部１０が所定の角度に起立した状態で保持される。
【００２１】
このように本発明による表示部チルトアップ構造の一実施形態によると、筐体１の軸１ａにシリコンゴムからなる円筒状（チューブ状）の弾性体１４を軸支する構造のため、筐体１から弾性体１４が外れ（剥がれ）にくく、特に、筐体１の軸１ａに大径部１ｂ（図４参照）を設けることで確実に外れを防止でき、且つ、両面テープまたは接着剤が不要になる。
また、本発明による表示部チルトアップ構造の一実施形態によると、表示部１０とともに回動する円弧面１２ａに弾性体１４が圧接して同時に回転する構造のため、この弾性体１４の回転する外周面に円弧面１２ａが均等に圧接して図７に示した従来技術のように一箇所に集中して擦れることがなく、磨耗を効果的に低減し、表示部１０を所定角度に保持する保持力の低下を抑え、カスなどの発生も同時に防止することができる。
【００２２】
以上、本発明による表示部チルトアップ構造の実施の形態を詳細に説明したが、本発明は前述した実施の形態に限定されるものではなく、その要旨を逸脱しない範囲で変更可能である。
例えば、本発明による表示部チルトアップ構造を有線電話機に採用した実施の形態を説明したが、これに限定されるものではなく、ＦＡＸなどの表示部を有する電子機器にも適用可能である。
【００２３】
【発明の効果】
このように本発明による表示部チルトアップ構造によれば、表示部を起立状態に保持する弾性体を筐体に貼着せずに装着でき、磨耗を抑えて起立状態の保持力が低下することを抑えることができる。
【図面の簡単な説明】
【図１】本発明による表示部チルトアップ構造の一実施形態を示す構成図。
【図２】図１に示した弾性体の詳細を示す図。
【図３】図１に示した弾性体の他の実施例を示す図。
【図４】図２に示した軸の他の実施例を示す図。
【図５】図１に示した筐体に表示部を取り付けた状態を示す図。
【図６】図１に示した表示部の動作を示す図。
【図７】従来の表示部チルトアップ構造の一実施形態を示す構成図。
【図８】図７に示した表示部を筐体に取り付けた状態を示す図。
【図９】図７に示した表示部の動作を示す図。
【図１０】図８に示した表示部が起立した状態を示す図。
【符号の説明】
１　　筐体
１ａ　軸
１０　　表示部
１０ａ　回動軸
１２　　回動突部
１２ａ　円弧面
１２ｂ　平面
１４　　弾性体
【図１】
2004053768.tif 000003
【図２】
2004053768.tif 000004
【図３】
2004053768.tif 000005
【図４】
2004053768.tif 000006
【図５】
2004053768.tif 000007
【図６】
2004053768.tif 000008
【図７】
2004053768.tif 000009
【図８】
2004053768.tif 000010
【図９】
2004053768.tif 000011
【図１０】
2004053768.tif 000012